(57)【要約】      （修正有）【課題】回転ドラムに対して一連の固定座と取付軸を設定して、フレール爪の複数の装着部位をまとめて着脱可能とした刈刃の着脱構造を提供する。【解決手段】水平方向に延設されて動力によって駆動される回転ドラム６と、回転ドラム６外周に間隔を置いて取り付けられる多数のフレール爪１１とを備えた草刈機に適用する刈刃の着脱構造であって、回転ドラム６にフレール爪１１の取付軸１３を配置し、取付軸１３を着脱させて、複数の装着部位に取付けられたフレール爪１１を同時に着脱可能とした。【選択図】図２
2012235753.tif 000002
【特許請求の範囲】
【請求項１】
水平方向に延設されて動力によって駆動される回転体と、
回転体外周に間隔を置いて取り付けられる多数の刈刃とを備えた草刈機に適用する刈刃の着脱構造であって、
前記回転体に刈刃の取付軸を配置し、
前記取付軸を着脱させて、複数の装着部位に取付けられた刈刃を同時に着脱可能としたことを特徴とする刈刃の着脱構造。
【請求項２】
前記取付軸は回転体上に回転軸と平行に配設されており、
前記取付軸は回転体軸方向の左右の間をスライドさせて着脱する構成とした請求項１記載の刈刃の着脱構造。
【請求項３】
回転体の軸方向を複数に分割してそれぞれの刈取幅を担当する取付軸を配置し、
取付軸を回転ドラムの回転方向に対して等間隔で取付け、
隣接する刈取幅を担当する取付軸の取付け部位を、回転方向に対して互いにずらした位置に設定したことを特徴とする請求項２記載の刈刃の着脱構造。
【請求項４】
回転体を軸方向に２分してそれぞれの刈取幅を担当する取付軸を配置し、
取付軸を回転ドラムの回転方向に対して４等分した位置に取付け、
隣接する刈取幅を担当する取付軸の取付け部位を、回転方向に対して互いに４５度ずらした位置に設定したことを特徴とする請求項３記載の刈刃の着脱構造。
【発明の詳細な説明】
【技術分野】
【０００１】
本発明は刈刃の着脱構造に関し、特に、回転ドラムに対して一連の固定座と取付軸を設定して、フレール爪の複数の装着部位をまとめて着脱可能とした刈刃の着脱構造に関する。
【背景技術】
【０００２】
従来、雑草類、牧草類の草刈機として、フレール爪を備えたフレールモア等の乗用草刈機が開発されている。
この乗用草刈機は、原動機による走行部及び刈取部と備え、走行しながら回転ドラムに取付けられたフレール爪をアップカット方式、またはダウンカット方式により回転させて雑草や牧草の刈取りを行うものである。
このような、フレール爪を備えたフレールモアの従来例として例えば特許文献１の技術が公知であり、フレール爪の取付け部位に関する技術として特許文献２の技術が公知である。
【特許文献１】特開２００１−１６１１３７号公報
【特許文献２】実公昭６０−３３７８３号公報
【発明の開示】
【発明が解決しようとする課題】
【０００３】
特許文献１、２の技術はいずれも回転ドラムの外周にフレール爪を取り付けて、草刈を行う草刈機に関する技術であるが、これらの従来例によれば、フレール爪の取付けドラムにホルダを介して２枚のフレール爪をピンにて連結し、２枚のフレール爪ごとにピンが必要となるために、取付け部位が多数のカ所になり着脱が極めて困難という問題があった。
つまり、フレール爪は地表面の石と接触するために刃先が摩耗が激しく、頻繁に刃先の取り替えが必要とされるが、一度に全体のピンやボルトを取り外し、取付け作業をすることは極めて困難である。
本発明は係る従来の問題点を解決するためになされたものであってその目的とするところは、回転ドラムに対して一連の固定座と取付軸を設定して、フレール爪の複数の装着部位をまとめて着脱可能とした刈刃の着脱構造を提供することにある。
【課題を解決するための手段】
【０００４】
前記目的を達成するための手段として、水平方向に延設されて動力によって駆動される回転体と、回転体外周に間隔を置いて取り付けられる多数の刈刃とを備えた草刈機に適用する刈刃の着脱構造であって、前記回転体に刈刃の取付軸を配置し、前記取付軸を着脱させて、複数の装着部位に取付けられた刈刃を同時に着脱可能としたことを特徴とする。
【０００５】
請求項２記載の刈刃の着脱構造では、請求項１記載の刈刃の着脱構造において、前記取付軸は回転体上に回転軸と平行に配設されており、前記取付軸は回転体軸方向の左右の間をスライドさせて着脱する構成とした。
【０００６】
請求項３記載の刈刃の着脱構造では、請求項２記載の刈刃の着脱構造において、回転体の軸方向を複数に分割してそれぞれの刈取幅を担当する取付軸を配置し、取付軸を回転ドラムの回転方向に対して等間隔で取付け、隣接する刈取幅を担当する取付軸の取付け部位を、回転方向に対して互いにずらした位置に設定したことを特徴とする。
【０００７】
請求項４記載の刈刃の着脱構造では、請求項３記載の刈刃の着脱構造において、回転体を軸方向に２分してそれぞれの刈取幅を担当する取付軸を配置し、取付軸を回転ドラムの回転方向に対して４等分した位置に取付け、隣接する刈取幅を担当する取付軸の取付け部位を、回転方向に対して互いに４５度ずらした位置に設定したことを特徴とする。
【発明の効果】
【０００８】
前記構成を採用したことにより、本発明では次の効果を有する。
請求項１記載の刈刃の着脱構造においては、刈取部の回転体に刈刃の取付軸を配置し、その取付軸を着脱させて、複数の装着部位に取付けられた刈刃を同時に着脱可能としたので、取付軸を１本着脱するのみで同時に複数の刈刃の交換を行うことができる。
従来では刈刃の装着部位単位ごとに刈刃の着脱を行なわなければならなかったが、本発明では複数の装着部位をまとめて着脱することができる。
【０００９】
請求項２記載の刈刃の着脱構造においては、取付軸は回転体上に回転軸と平行に配設され、取付軸は回転体軸方向の左右の間をスライドさせて着脱する構成としたので、刈取部両側面を覆うカバーとの接触を回避して着脱スペースを確保することができる。
つまり、回転ドラムの左右側面はカバーによって覆われているために、カバー側へ取付軸をスライドさせることは不可能であるが、回転軸の左右の間にスライドスペースを確保したので、カバーと接触せずに取付軸をスライドさせることができる。
【００１０】
請求項３記載の刈刃の着脱構造においては、回転体の軸方向を複数に分割してそれぞれの刈取幅を担当する取付軸を配置し、取付軸を回転ドラムの回転方向に対して等間隔で取付け、隣接する刈取幅を担当する取付軸の取付け部位を、回転方向に対して互いにずらした位置に設定したので、横に隣接する固定座との接触を回避して取付軸のスライドスペースを確保することができる。
【００１１】
請求項４記載の刈刃の着脱構造においては、回転体を軸方向に２分してそれぞれの刈取幅を担当する取付軸を配置し、取付軸を回転ドラムの回転方向に対して４等分した位置に取付け、隣接する刈取幅を担当する取付軸の取付け部位を、回転方向に対して互いに４５度ずらした位置に設定したので、左右それぞれに４連、左右合わせて８連のフレール爪を配置することができる。
【発明を実施するための最良の形態】
【００１２】
以下、図面に基づいて本発明の刈刃の着脱構造を実現する最良の形態を説明する。
【実施例１】
【００１３】
本発明の刈刃の着脱構造を説明する。
図１は本発明を適用した乗用草刈機の斜視図、図２は刈刃を装着した回転ドラムの平面図、図３は取付軸を外した状態の説明図、図４は固定座の説明図、図５はフレール爪の配置状態を示す説明図、図６は回転ドラムの側面図である。
【００１４】
本発明の刈刃の着脱構造を適用した乗用草刈機１は、図１に示すように、クローラ２を備えた走行機体３と、走行機体３の後部に配置された操作部４と、走行機体の前方に配置された刈取部５を主要な構成としている。
操作部４には作業者の搭乗部が配置され、搭乗部の周囲には操舵レバー、クラッチ、ブレーキ、刈取部の昇降レバー等の各種操作レバーが配置されている。
【００１５】
前記刈取部５は走行機体の前方に付き出した状態で昇降自在とされ、刈取部５の内部には水平方向に回転ドラム６（回転体）が配設されている。
刈取部５の外側はカバー７によって覆われ、小石等の飛び出しが防止されている。
カバー７は回転ドラムの左右、前後、上面を覆い、下面は開口されて地表面の雑草類と刈刃が接触して刈り取る構成となっている。
カバー前方には取っ手８が備えられ、取っ手８操作によりカバー前方が開閉可能とされ、メンテナンス時にはここを開けて、刈刃の取り替等を行うことができる。
また、カバーの左右両端にはソリ９が配置されている。このソリ９は草刈り走行中に地表面に接触して刈刃を地表面から一定の位置に維持した状態で刈取部５をスムーズにスライドさせる部位である。
【００１６】
回転ドラム６は車両の進行方向に対して左右水平方向へ配設されている（図２、３参照）。
回転ドラム６の回転軸（中心軸）は左右端１０が回転自在に軸支され、一端側にはベルトが架け渡されて動力が伝達される構成となっている。
回転ドラム６が回転することにより、ドラム外周に接続されたフレール爪１１（刈刃）がアップカット方式またはダウンカット方式により雑草類を刈り取る。
【００１７】
ドラムの胴体（外周）には刈刃を取付けるための固定座１２が配置されている。この固定座１２は、所定幅を有した一連の凸条隆起部を回転ドラムの外周に回転軸と平行に熔接等によって固定したものである。
図４（ａ）は固定座の正面図、図４（ｂ）は固定座の平面図、図４（ａ）は固定座の側面図を示している。
【００１８】
固定座１２は、回転ドラム６の回転軸の左右中心部から軸方向に２分して、それぞれの刈取幅を担当する長さを有している。
各固定座１２は回転ドラムの中心軸（回転軸）と平行に配置され、一連の固定座の左右方向の長さは回転ドラム６の回転軸の長さの約１／２とされている。
また、左右の固定座１２はそれぞれ回転方向に対して４連配置されており、４連の固定座１２は回転ドラムの回転方向に対して４等分した位置に取付けられている。つまり、回転ドラム６の回転時の動バランスを保つために回転ドラムの回転中心から各固定座１２を結ぶライン、いわゆる中心角が９０度に設定されている。
固定座１２は左右それぞれに４連、左右合計で８連の固定座１２が配置されている。そして、左右の固定座１２の位置は回転方向に対して互いに４５度ずらした位置に設定されている。このため固定座１２の固定位置を側面から見ると、回転ドラム６の中心軸から外方向に向けて８カ所に放射状に突起している。（図６参照）。
【００１９】
前記固定座１２に沿って、後述する取付軸１３がスライド着脱されるが、隣接する固定座は互いに４５度ずらしていることにより、取付軸１３のスライドスペースが確保されることになっている。
つまり、固定座１２の真横に固定座１２が在ると、取付軸１３をスライドさせる時に真横の固定座１２に接触してスライド出来ない。しかし、隣接する固定座１２を互いにずらした位置に設定していることにより、取付軸１３が固定座１２に干渉せずにスライドさせることができるようになっている。
【００２０】
前記固定座１２は両側面に取付軸１３の挿入孔１４が形成され、両側面に挟まれた中間部分には取付軸のスライド孔１５が形成され、一連の固定座１２の上面には間隔をおいて爪ホルダの装着溝１６が形成されている。
この装着溝１６は固定座１２の上面を２カ所切削した形状であり、２カ所の装着溝１６が対をなして一カ所の装着部位を形成し、その装着部位が固定座の全長に亘って合計５カ所に形成されている。
この装着溝１６は後述する爪ホルダ１７の左右辺が嵌め込まれる部位であり、爪ホルダ１７を嵌め込んだ後に横から爪ホルダ１７の挿通孔に取付軸１３を通過させて、取付軸１３を介して爪ホルダ１７を固定座１２に取り付ける。
【００２１】
取付軸１３は固定座に挿通して回転ドラムの回転軸と平行に固定される金属軸であり、拡径した頭部１３ａと、頭部から伸びる軸部１３ｂと、先端のボルト締着部１３ｃを備えている。
取付けに際しては、取付軸を固定座の側面から挿入し、一連の固定座のスライド孔を通過させながら、拡径した頭部が側面に突き当たるまで差し込む。すると、取付軸の先端が固定座の反対側面に露出するので、露出した先端にボルト１８を締着し、固定座に取付軸を固定する。
取付軸１３は固定座に沿って回転ドラム６の中心軸と平行に取付けられる。
尚、取付軸１３の着脱に際しては後述するフレール爪１１及び爪ホルダ１７の着脱を同時に行なう。
【００２２】
爪ホルダ１７は、固定座に対してフレール爪を連結する部材であり、左右辺とその左右辺を結ぶ丸底部を有し、全体形状は「Ｕ」字形をなしている。
爪ホルダ１７の左右辺の上部には取付軸１３の挿通孔が形成されており、この挿通孔１３を貫通して取付軸１３が通過する構成となっている。
爪ホルダ１７の取付けに際しては左右辺の上部を装着溝１６に入れ込み、装着溝１６の横から進入する取付軸１３を孔に通過させて取り付ける。
左右辺の先端部分の挿通孔に取付軸１３が遊嵌して所定幅の回動角度が確保されて取付けられる。
【００２３】
フレール爪１１は地表面の雑草類に接触する刈刃であり、平板材を２つ折りにした「く」の字形状とされ、爪ホルダへ取付けられる基部の平板部１１ａと、平板部１１ａから斜め外側へ屈曲した刃先１１ｂを備えている。
基部の平板部１１ａには爪ホルダの取付け孔が形成され、先方には刃先１１ｂが形成されている。
フレール爪１１は２枚の基部同士が背中合わせに貼り合わせた状態で取付けられ、背中合わせに密接させたフレール爪１１の取付け孔同士を位置合わせして、その位置合わせした取付け孔にＵ字状の爪ホルダ１７を挿入して、爪ホルダ１７の丸底部から２枚のフレール爪１１を吊り下げた状態で装着する。
２枚のフレール爪１１を爪ホルダ１７に装着すると、フレール爪１１の先端部分は各々外側へ折り曲がり、２枚のフレール爪１１を貼り合わせた形状は「Ｙ」字形とされ、Ｙ字に分岐した先が刃先として機能する。
【００２４】
これら２枚のフレール爪１１は爪ホルダ１７から吊り下げられた状態であり、さらに爪ホルダ自体も取付軸に対して一定の回動角度を有している。
このため、回転ドラムが回転すると遠心力により爪ホルダ１７及びフレール爪１１が放射状に突起して雑草類を刈り取る。しかし、刈刃が小石等に衝突した場合には爪ホルダ１７又はフレール爪１１が後退して衝撃を緩和する。
刃先は平板の前後２カ所に形成されており、摩耗した際にはフレール爪１１を一旦取り外し、裏返して装着することにより新規な刃先に入れ替え可能である。
【００２５】
本実施例では、２枚のフレール爪１１が合わさって取付けられた装着部位が１連の固定座または取付軸に５カ所形成され、全体で８本の固定座１２及び取付軸１３が配置されているので、回転ドラム全体で合計４０カ所の装着部位が形成されている。
【００２６】
次に、図５は回転ドラムを平面的に展開して８連の固定座１２に取付けられたフレール爪１１のそれぞれの配置状態を示している。
フレール爪１１の取付け位置は図５に示すように、１連の固定座１２上に横５列の装着部位が配置され、装着部位によっては横に刈取り隙間が空けられている。この刈取り隙間は図５に示すように後続のフレール爪１１が位置しているので、回転方向に１〜４連のフレール爪が順次通過して隙間無く刈取幅をカバーしている。
【００２７】
ところで、一般にフレールモアは、フレール爪１１を高速で回転させ、このときの遠心力でフレール爪を回転ドラムの軸中心に対し放射状に延伸させて作業を行う。このため、回転ドラム６の回転時の動バランスを確保するバランサーを適宜装着する。
【００２８】
次に、本発明の作用を説明する。
搭乗者が各種レバー操作を行いながら乗用草刈機を走行させ、フレール爪１１によりアップカット刈りまたはダウンカット刈りにより雑草類を刈取る。
刈刃が摩耗等により損傷した場合にはカバーを開いてフレール爪１１の取り替えを行う。
フレール爪を外す作業は、取付軸先端のボルト１８を外し、取付軸１３を固定座１２からスライドさせて引き抜く。
このとき、取付軸１３の引き抜き方向に位置する固定座１２は回転ドラム６の回転方向に対して４５度ずれた位置に設定されているので、取付軸１３のスライドスペースが確保されている。
回転ドラム６の左右はカバーによって閉塞されているので、このカバー方向へ取付軸１３をスライドさせることはできない。しかし、固定座１２及び取付軸１３はドラム回転軸の１／２よりも短い長さに設定されているので、回転ドラム６の左右の間をスライドさせて引き抜くことができる。
【００２９】
取付軸１３を引き抜くことによって、５カ所の装着部位のフレール爪１１が取り外されるので、このフレール爪１１を入れ換え、爪ホルダ１７に装着して、爪ホルダ１７を固定座１２の溝１６に差し込み、取付軸１３を固定座１２に差し込む。
取付軸１３の差し込みに際しては、引き抜きと同様に、隣接する固定座との干渉が排除されているので、スライド装着が可能である。
従来のフレール爪の装着方法は、特開２００１−１６１１３７号公報、実公昭６０−３３７８３号公報に記載されたとおり、一カ所ごとにピン、ボルト等でフレール爪の着脱をしなければならなかったが、本実施例では１本の取付軸の着脱により同時に５カ所の装着部位の着脱が可能となっている。
【００３０】
次に、図７は第２実施例に係る刈刃を装着した回転体の平面図である。
前記第１実施例は「Ｕ」字状の爪ホルダ１７を介してフレール爪１１を取り付ける方法としたが、第２実施例に係る刈刃の着脱構造は「Ｕ」字状の爪ホルダ１７を使用せずに、フレール爪１１を取付軸１３に直接取り付ける構成である。
フレール爪１１は取付軸１３に遊嵌して取付けられるので、前記第１実施例と同様に、回転ドラムが回転すると遠心力によりフレール爪１１が放射状に突起して雑草類を刈り取り、フレール爪１１が小石等に衝突した場合にはフレール爪１１が後退して衝撃を緩和する。
その他の作用効果については前記第１実施例と同様である。
【００３１】
以上、実施例を説明したが、本発明の具体的な構成は前記実施例に限定されるものではなく、発明の要旨を逸脱しない範囲の設計変更等があっても本発明に含まれる。
例えば、前記実施例では取付軸１３の長さを回転ドラム６の回転軸の約１／２としたが、回転ドラムの左右を閉塞するカバーの間をスライドさせることができる長さであれば実現可能であり、回転ドラムの両端の閉塞構造等によって、１／２より多少長く、あるいはそれよりも短く設定することは可能である。
また、前記実施例では回転ドラム６上に左右２列の固定座１２、取付軸１３を配置する構成としたが、３列以上の固定座１２、取付軸１３を配置する場合であっても本発明に含まれる。
【図面の簡単な説明】
【００３２】
【図１】本発明を適用した乗用草刈機の斜視図である。
【図２】刈刃を装着した回転ドラムの平面図である。
【図３】取付軸を外した状態の説明図である。
【図４】固定座の説明図である。
【図５】フレール爪の配置状態を示す説明図である。
【図６】回転ドラムの側面図である。
【図７】第２実施例に係る刈刃を装着した回転体の平面図である。
【符号の説明】
【００３３】
１  乗用草刈機
２  クローラ
３  走行機体
４  操作部
５  刈取部
６  回転ドラム
７  カバー
８  取っ手
９  ソリ
１０  左右端
１１  フレール爪
１２  固定座
１３  取付軸
１４  挿入孔
１５  スライド孔
１６  装着溝
１７  爪ホルダ
１８  ボルト
【図１】
2012235753.tif 000003
【図２】
2012235753.tif 000004
【図３】
2012235753.tif 000005
【図４】
2012235753.tif 000006
【図５】
2012235753.tif 000007
【図６】
2012235753.tif 000008
【図７】
2012235753.tif 000009